(57)【要約】      （修正有）【課題】タブレット型コンピュータを利用し、種々の興趣に富むゲームをプレイすることができ、しかも簡単かつ安価な構成で、使用も容易に行えるようにしたゲームシステムを提供する。【解決手段】タブレット型コンピュータ１と、該タブレット型コンピュータに接続されるとともに赤外線受光部１１を有するゲームアダプタ１０と、該ゲームアダプタと赤外線通信により接続可能に構成されているリモコン操作器２０とを備える。前記タブレット型コンピュータは、各種画像を表示する表示画面を有するとともに、イヤフォン出力、マイク入力等の外部接続端子を備え、この外部接続端子により前記ゲームアダプタを前記タブレット型コンピュータに接続することによりリモコン操作器を用いてゲームをプレイすることができるように構成されている。【選択図】図１
0003179797.tif 000002
【実用新案登録請求の範囲】
【請求項１】
携帯情報端末と、
該携帯情報端末に接続されるとともに赤外線受光部を有するゲームアダプタと、
該ゲームアダプタの赤外線受光部に向かって赤外線を照射する赤外線リモコン操作器とを備え、
前記携帯情報端末は、各種画像を表示する表示画面を有するとともに、イヤフォン出力、マイク入力若しくはその他の入出力等の外部接続端子を備え、
この外部接続端子を介して前記ゲームアダプタを接続することにより、赤外線リモコン操作器を用いたゲームを行えるように構成されていることを特徴とするゲームシステム。
【請求項２】
請求項１記載のゲームシステムにおいて、
前記ゲームアダプタは、赤外線発光部をさらに備えていることを特徴とするゲームシステム。
【請求項３】
請求項１または請求項２記載のゲームシステムにおいて、
前記ゲームアダプタは、音声出力用のスピーカを備えていることを特徴とするゲームシステム。
【請求項４】
請求項１記載のゲームシステムにおいて、
前記リモコン操作器は、赤外線受光部をさらに備えていることを特徴とするゲームシステム。
【請求項５】
請求項１ないし請求項４のいずれか１項に記載のゲームシステムに用いるゲームアダプタとリモコン操作器とによって構成されていることを特徴とするゲームアダプタセット。
【考案の詳細な説明】
【技術分野】
【０００１】  本考案は、例えば（公序良俗違反につき、不掲載）等のタブレット型コンピュータを初めとし、（公序良俗違反につき、不掲載）、（公序良俗違反につき、不掲載）を含む携帯情報端末（以下、タブレット型コンピュータで総称する）を用いて各種のゲームを楽しむことができるゲームシステム及びこれに用いるゲームアダプタセットに関する。
【背景技術】
【０００２】  例えばテレビ受像機等にゲーム機を接続して設け、該ゲーム機のリモコン操作器により種々のゲームをプレイするゲームシステムが、従来から一般によく行われている（例えば、特許文献１参照）。【０００３】  この種のゲームシステムは、テレビ受像機の上部等に付設するＣＣＤカメラ、赤外線入出力装置等の附属アダプタと、ケーブル等により接続されるゲーム機本体と、ユーザがリモコン操作するリモコン操作器等によって構成され、テレビのディスプレイ画面上に表示される画像を見ながらリモコン操作器を操作することで、興趣に富むゲームプレイを行えるようになっている。
【先行技術文献】
【特許文献】
【０００４】
【特許文献１】  特開平１１−３４６３６０号公報
【考案の概要】
【考案が解決しようとする課題】
【０００５】  しかし、上述したような従来のシステムはいわゆるテレビを利用した単純なゲーム機であって、テレビをディスプレイとして利用しただけの装置であった。特に、従来この種のゲーム機では、ＣＰＵ等を内蔵したゲーム機本体をテレビ受像機の側に設置し、ゲーブルで接続してゲームプレイを行うことが必要で、ゲームプレイを行うにあたって煩雑さが避けられないものであった。【０００６】  ところで、近年、タブロッド型コンピュータが発売されるようになってきており、このようなタブレット型コンピュータを用いてゲームを行えるようにすることが望まれており、より簡単な操作で簡単にゲームを楽しむことができる何らかの工夫を講じることが求められている。【０００７】  本考案はこのような事情に鑑みてなされたものであり、タブレット型コンピュータを利用し、種々の興趣に富むゲームをプレイすることができ、しかも簡単かつ安価な構成で、使用も容易に行えるようにしたゲームシステム及びこれに用いるゲームアダプタセットを得ることを目的とする。
【課題を解決するための手段】
【０００８】  このような目的に応えるために本考案（請求項１記載の考案）に係るゲームシステムは、携帯情報端末と、該携帯情報端末に接続されるとともに赤外線受光部を有するゲームアダプタと、該ゲームアダプタの赤外線受光部に向かって赤外線を照射する赤外線リモコン操作器とを備え、前記携帯情報端末は、各種画像を表示する表示画面を有するとともに、イヤフォン出力、マイク入力若しくはその他の入出力等の外部接続端子を備え、この外部接続端子を介して前記ゲームアダプタを接続することにより、赤外線リモコン操作器を用いたゲームを行えるように構成されていることを特徴とする。【０００９】  本考案（請求項２記載の考案）に係るゲームシステムは、請求項１において、前記ゲームアダプタは、赤外線発光部をさらに備えていることを特徴とする。【００１０】  本考案（請求項３記載の考案）に係るゲームシステムは、請求項１または請求項２において、前記ゲームアダプタは、音声出力用のスピーカを備えていることを特徴とする。【００１１】  本考案（請求項４記載の考案）に係るゲームシステムは、請求項１において、前記リモコン操作器は、赤外線受光部をさらに備えていることを特徴とする。【００１２】  本考案（請求項５記載の考案）に係るゲームシステムは、請求項１ないし請求項４のいずれか１項に記載のゲームシステムに用いるゲームアダプタとリモコン操作器とによって構成されていることを特徴とする。
【考案の効果】
【００１３】  以上説明したように本考案に係るゲームシステム及びこれに用いるゲームアダプタセットによれば、（公序良俗違反につき、不掲載）を初め、（公序良俗違反につき、不掲載）、（公序良俗違反につき、不掲載）携帯を含むタブレット型コンピュータを用い、そのＣＰＵでゲームソフトを運用できるから、従来のようなゲーム機は不要となり、構成が簡素化し、さらに該タブレット型コンピュータへのアダプタセットの付設も簡単にしかも容易に行える。【００１４】  また、本考案に係るゲームシステムによれば、ゲームアダプタをタブレット型コンピュータのイヤフォンジャック、その他の入出力端子等となる外部接続端子に接続する構造であるから、該アダプタにスピーカなどを搭載することにより、該スピーカを利用するアダプタとしても利用することができるという利点もある。【００１５】  さらに、本考案によれば、リモコン操作器が赤外線受光部を備えることにより、タブレット型コンピュータ側からの情報取得が可能となり、双方向でのゲームを楽しむことができる。
【図面の簡単な説明】
【００１６】
【図１】  本考案に係るゲームシステム及びこれに用いるゲームアダプタセットの一実施形態を示す概略構成図である。
【考案を実施するための形態】
【００１７】  図１は本考案に係るゲームシステム及びこれに用いるゲームアダプタセットの一実施形態を示すものである。  図において、符号１は（公序良俗違反につき、不掲載）、さらに（公序良俗違反につき、不掲載）、（公序良俗違反につき、不掲載）携帯電話等を含む携帯情報端末としてのタブレット型コンピュータであり、その表面に適宜の画像を表示する表示画面１ａを備えている。また、該タブレット型コンピュータ１の側縁部の一部には、イヤフォン出力、マイク入力、その他の入出力等の外部接続端子（図示せず）が設けられている。
【００１８】  ここで、この種のタブレット型コンピュータ１では、種類にもよるが、外部接続端子としてイヤフォンジャックが共通している。また、このイヤフォンジャックとマイク入力端子が同じポートになっている。
【００１９】  本考案によれば、このような外部接続端子を利用して接続されるゲームアダプタ１０を、タブレット型コンピュータ１に付設するとともに、このゲームアダプタ１０との間で信号を送受信するためのリモコン操作器２０を用いている。
【００２０】  すなわち、タブレット型コンピュータ１に接続されるとともに赤外線受光部１１を有するゲームアダプタ１０と、該ゲームアダプタ１０の赤外線受光部１１に向かって赤外線を照射するリモコン操作器２０とによりゲームシステムを構成している。
【００２１】  そして、このタブレット型コンピュータ１の外部接続端子に、ゲームアダプタ１０を接続することにより、リモコン操作器２０を用いたゲームを行えるように構成されている。この実施形態では、図１に示すように、ピストル型の操作器２０を用いている。
【００２２】  ここで、前記ゲームアダプタ１０には、赤外線発光部１２が前記赤外線受光部１１に並んで設けられている。
【００２３】  また、ピストル型操作器２０には、赤外線発光部２１と赤外線受光部２２が設けられている。特に、このピストル型操作器２０に赤外線受光器２２を設けることで、タブレット型コンピュータ１側からのゲーム時の情報を入手させることが可能であり、ゲームを双方向で楽しむことができる。
【００２４】  以上の構成によれば、タブレット型コンピュータ１を用い、そのＣＰＵでゲームソフトを運用できるから、興趣に富むゲームをプレイすることができる。また、このような構成によれば、従来のようなゲーム機は不要となり、構成が簡素化し、さらに該タブレット型コンピュータへのアダプタセットの付設も簡単にしかも容易に行える。
【００２５】  上述したタブレット型コンピュータ１とアダプタ１０、リモコン操作器２０によるアダプタセットによるゲームシステムにおいては、ゲームアダプタ１０をタブレット型コンピュータ１のイヤフォンジャック等となる外部接続端子に接続する構造であるから、該アダプタ１０に音声出力用スピーカ（図示せず）などを搭載することも可能である。
【００２６】  このようなスピーカを設けると、該アダプタ１０を、タブレット型コンピュータ１の音声出力用アダプタとしても利用することができる。
【００２７】  ここで、上述した実施形態では、タブレット型コンピュータ１の表示画面１ａを離れた位置から見えるようにするためにスタンド３を用いている。この実施形態では、図示したように該スタンド３に音声出力用スピーカを設けている。なお、適宜のケーブルなどの接続手段でタブレット型コンピュータ１と接続されている。
【００２８】  なお、変形例として、このスタンド３に赤外線受光部１１や赤外線発光部１２を設け、アダプタ１０の兼用型とするような構成としてもよい。
【００２９】  なお、本考案は上述した実施の形態で説明した構造には限定されず、ゲームアダプタ１０やリモコン操作器２０を初めとする各部の形状、構造等を適宜変形、変更し得ることはいうまでもない。
【００３０】  また、タブレット型コンピュータとしても（公序良俗違反につき、不掲載）、その他のタブレット型携帯端末等を初めとし、（公序良俗違反につき、不掲載）、（公序良俗違反につき、不掲載）を含む携帯情報端末であれば、適宜のものに適用してもよいことは言うまでもない。  さらに、リモコン操作器２０の形状として、上述した実施形態ではピストル型の場合を説明したが、この形状に問われない。すなわち、各種ゲームを行う際に用いることができるものであって、赤外線の送受信によりゲームをリモコン操作でプレイすることができるものであればよく、適宜の形状を自由に選択できることは言うまでもない。
【符号の説明】
【００３１】  １    タブレット型コンピュータ（携帯情報端末）
１ａ  表示画面
３    スタンド
１０    ゲームアダプタ
１１    赤外線受光部
１２    赤外線発光部
２０    リモコン操作器
２１    赤外線発光部
２２    赤外線受光部
【図１】
0003179797.tif 000003
【手続補正書】
【提出日】平成24年6月19日(2012.6.19)
【手続補正１】
【補正対象書類名】実用新案登録請求の範囲
【補正対象項目名】全文
【補正方法】変更
【補正の内容】
【実用新案登録請求の範囲】
【請求項１】
携帯情報端末と、  該携帯情報端末に接続されるとともに赤外線受光部を有するゲームアダプタと、  該ゲームアダプタの赤外線受光部に向かって赤外線を照射する赤外線リモコン操作器とを備え、  前記携帯情報端末は、各種画像を表示する表示画面を有するとともに、イヤフォンジャック、マイク入力端子、その他の入出力端子等の外部接続端子を備え、  この外部接続端子を介して前記ゲームアダプタを接続することにより、赤外線リモコン操作器を用いたゲームを行えるように構成されていることを特徴とするゲームシステム。
【請求項２】
請求項１記載のゲームシステムにおいて、  前記ゲームアダプタは、赤外線発光部をさらに備えていることを特徴とするゲームシステム。
【請求項３】
請求項１または請求項２記載のゲームシステムにおいて、  前記ゲームアダプタは、音声出力用のスピーカを備えていることを特徴とするゲームシステム。
【請求項４】
請求項１記載のゲームシステムにおいて、  前記リモコン操作器は、赤外線受光部をさらに備えていることを特徴とするゲームシステム。
【請求項５】
請求項１ないし請求項４のいずれか１項に記載のゲームシステムに用いるゲームアダプタとリモコン操作器とによって構成されていることを特徴とするゲームアダプタセット。
【手続補正２】
【補正対象書類名】明細書
【補正対象項目名】全文
【補正方法】変更
【補正の内容】
【考案の詳細な説明】
【技術分野】
【０００１】  本考案は、例えば（公序良俗違反につき、不掲載）等のタブレット型コンピュータを初めとし、（公序良俗違反につき、不掲載）、（公序良俗違反につき、不掲載）携帯電話を含むスマートフォン等の携帯情報端末（以下、タブレット型コンピュータで総称する）を用いて各種のゲームを楽しむことができるゲームシステム及びこれに用いるゲームアダプタセットに関する。
【背景技術】
【０００２】  例えばテレビ受像機等にゲーム機を接続して設け、該ゲーム機のリモコン操作器により種々のゲームをプレイするゲームシステムが、従来から一般によく行われている（例えば、特許文献１参照）。【０００３】  この種のゲームシステムは、テレビ受像機の上部等に付設するＣＣＤカメラ、赤外線入出力装置等の附属アダプタと、ケーブル等により接続されるゲーム機本体と、ユーザがリモコン操作するリモコン操作器等によって構成され、テレビのディスプレイ画面上に表示される画像を見ながらリモコン操作器を操作することで、興趣に富むゲームプレイを行えるようになっている。
【先行技術文献】
【特許文献】
【０００４】
【特許文献１】特開平１１−３４６３６０号公報
【考案の概要】
【考案が解決しようとする課題】
【０００５】  しかし、上述したような従来のシステムはいわゆるテレビを利用した単純なゲーム機であって、テレビをディスプレイとして利用しただけの装置であった。特に、従来この種のゲーム機では、ＣＰＵ等を内蔵したゲーム機本体をテレビ受像機の側に設置し、ゲーブルで接続してゲームプレイを行うことが必要で、ゲームプレイを行うにあたって煩雑さが避けられないものであった。【０００６】  ところで、近年、タブロッド型コンピュータが発売されるようになってきており、このようなタブレット型コンピュータを用いてゲームを行えるようにすることが望まれており、より簡単な操作で諒単にゲームを楽しむことができる何らかの工夫を講じることが求められている。【０００７】  本考案はこのような事情に鑑みてなされたものであり、タブレット型コンピュータを利用し、種々の興趣に富むゲームをプレイすることができ、しかも簡単かつ安価な構成で、使用も容易に行えるようにしたゲームシステム及びこれに用いるゲームアダプタセットを得ることを目的とする。
【課題を解決するための手段】
【０００８】  このような目的に応えるために本考案（請求項１記載の考案）に係るゲームシステムは、携帯情報端末と、該携帯情報端末に接続されるとともに赤外線受光部を有するゲームアダプタと、該ゲームアダプタの赤外線受光部に向かって赤外線を照射する赤外線リモコン操作器とを備え、前記携帯情報端末は、各種画像を表示する表示画面を有するとともに、イヤフォンジャック、マイク入力端子、その他の入出力端子等の外部接続端子を備え、この外部接続端子を介して前記ゲームアダプタを接続することにより、赤外線リモコン操作器を用いたゲームを行えるように構成されていることを特徴とする。【０００９】  本考案（請求項２記載の考案）に係るゲームシステムは、請求項１において、前記ゲームアダプタは、赤外線発光部をさらに備えていることを特徴とする。【００１０】  本考案（請求項３記載の考案）に係るゲームシステムは、請求項１または請求項２において、前記ゲームアダプタは、音声出力用のスピーカを備えていることを特徴とする。【００１１】  本考案（請求項４記載の考案）に係るゲームシステムは、請求項１において、前記リモコン操作器は、赤外線受光部をさらに備えていることを特徴とする。【００１２】  本考案（請求項５記載の考案）に係るゲームシステムは、請求項１ないし請求項４のいずれか１項に記載のゲームシステムに用いるゲームアダプタとリモコン操作器とによって構成されていることを特徴とする。
【考案の効果】
【００１３】  以上説明したように本考案に係るゲームシステム及びこれに用いるゲームアダプタセットによれば、（公序良俗違反につき、不掲載）を初め、（公序良俗違反につき、不掲載）、（公序良俗違反につき、不掲載）携帯等のスマートフォンを含むタブレット型コンピュータを用い、そのＣＰＵでゲームソフトを運用できるから、従来のようなゲーム機は不要となり、構成が簡素化し、さらに該タブレット型コンピュータへのアダプタセットの付設も簡単にしかも容易に行える。【００１４】  また、本考案に係るゲームシステムによれば、ゲームアダプタをタブレット型コンピュータのイヤフォンジャック、マイク入力端子、その他の入出力端子等となる外部接続端子外部接続端子に接続する構造であるから、該アダプタにスピーカなどを搭載することにより、該スピーカを利用するアダプタとしても利用することができるという利点もある。【００１５】  さらに、本考案によれば、リモコン操作器が赤外線受光部を備えることにより、タブレット型コンピュータ側からの情報取得が可能となり、双方向でのゲームを楽しむことができる。
【図面の簡単な説明】
【００１６】
【図１】本考案に係るゲームシステム及びこれに用いるゲームアダプタセットの一実施形態を示す概略構成図である。
【考案を実施するための形態】
【００１７】  図１は本考案に係るゲームシステム及びこれに用いるゲームアダプタセットの一実施形態を示すものである。  図において、符号１は（公序良俗違反につき、不掲載）、さらに、（公序良俗違反につき、不掲載）、（公序良俗違反につき、不掲載）携帯電話等のスマートフォンを含む携帯情報端末としてのタブレット型コンピュータであり、その表面に適宜の画像を表示する表示画面１ａを備えている。また、該タブレット型コンピュータ１の側縁部の一部には、イヤフォンジャック、マイク入力端子、その他の入出力端子等の外部接続端子（図示せず）が設けられている。
【００１８】  ここで、この種のタブレット型コンピュータ１では、種類にもよるが、外部接続端子としてイヤフォンジャックが共通している。また、このイヤフォンジャックとマイク入力端子が同じポートになっている。
【００１９】  本考案によれば、このような外部接続端子を利用して接続されるゲームアダプタ１０を、タブレット型コンピュータ１に付設するとともに、このゲームアダプタ１０との間で信号を送受信するためのリモコン操作器２０を用いている。
【００２０】  すなわち、タブレット型コンピュータ１に接続されるとともに赤外線受光部１１を有するゲームアダプタ１０と、該ゲームアダプタ１０の赤外線受光部１１に向かって赤外線を照射するリモコン操作器２０とによりゲームシステムを構成している。
【００２１】  そして、このタブレット型コンピュータ１の外部接続端子に、ゲームアダプタ１０を接続することにより、リモコン操作器２０を用いたゲームを行えるように構成されている。この実施形態では、図１に示すように、ピストル型の操作器２０を用いている。
【００２２】  ここで、前記ゲームアダプタ１０には、赤外線発光部１２が前記赤外線受光部１１に並んで設けられている。
【００２３】  また、ピストル型操作器２０には、赤外線発光部２１と赤外線受光部２２が設けられている。特に、このピストル型操作器２０に赤外線受光器２２を設けることで、タブレット型コンピュータ１側からのゲーム時の情報を入手させることが可能であり、ゲームを双方向で楽しむことができる。
【００２４】  以上の構成によれば、タブレット型コンピュータ１を用い、そのＣＰＵでゲームソフトを運用できるから、興趣に富むゲームをプレイすることができる。また、このような構成によれば、従来のようなゲーム機は不要となり、構成が簡素化し、さらに該タブレット型コンピュータへのアダプタセットの付設も簡単にしかも容易に行える。
【００２５】  上述したタブレット型コンピュータ１とアダプタ１０、リモコン操作器２０によるアダプタセットによるゲームシステムにおいては、ゲームアダプタ１０をタブレット型コンピュータ１のイヤフォンジャック等となる外部接続端子に接続する構造であるから、該アダプタ１０に音声出力用スピーカ（図示せず）などを搭載することも可能である。
【００２６】  このようなスピーカを設けると、該アダプタ１０を、タブレット型コンピュータ１の音声出力用アダプタとしても利用することができる。
【００２７】  ここで、上述した実施形態では、タブレット型コンピュータ１の表示画面１ａを離れた位置から見えるようにするためにスタンド３を用いている。この実施形態では、図示したように該スタンド３に音声出力用スピーカを設けている。なお、適宜のケーブルなどの接続手段でタブレット型コンピュータ１と接続されている。
【００２８】  なお、変形例として、このスタンド３に赤外線受光部１１や赤外線発光部１２を設け、アダプタ１０の兼用型とするような構成としてもよい。
【００２９】  なお、本考案は上述した実施の形態で説明した構造には限定されず、ゲームアダプタ１０やリモコン操作器２０を初めとする各部の形状、構造等を適宜変形、変更し得ることはいうまでもない。
【００３０】  また、タブレット型コンピュータとしても（公序良俗違反につき、不掲載）、その他のタブレット型携帯端末等を初めとし、（公序良俗違反につき、不掲載）、（公序良俗違反につき、不掲載）携帯電話等のスマートフォンを含む携帯情報端末であれば、適宜のものに適用してもよいことは言うまでもない。  さらに、リモコン操作器２０の形状として、上述した実施形態ではピストル型の場合を説明したが、この形状に問われない。すなわち、各種ゲームを行う際に用いることができるものであって、赤外線の送受信によりゲームをリモコン操作でプレイすることができるものであればよく、適宜の形状を自由に選択できることは言うまでもない。
【符号の説明】
【００３１】  １    タブレット型コンピュータ（携帯情報端末）  １ａ  表示画面  ３    スタンド１０    ゲームアダプタ１１    赤外線受光部１２    赤外線発光部２０    リモコン操作器２１    赤外線発光部２２    赤外線受光部
【手続補正書】
【提出日】平成24年8月30日(2012.8.30)
【手続補正１】
【補正対象書類名】明細書
【補正対象項目名】０００１
【補正方法】変更
【補正の内容】
【０００１】  本考案は、例えばタブレット型コンピュータを初めとし、携帯電話、スマートフォン等を含む携帯情報端末（以下、タブレット型コンピュータで総称する）を用いて各種のゲームを楽しむことができるゲームシステム及びこれに用いるゲームアダプタセットに関する。
【手続補正２】
【補正対象書類名】明細書
【補正対象項目名】００１３
【補正方法】変更
【補正の内容】
【００１３】  以上説明したように本考案に係るゲームシステム及びこれに用いるゲームアダプタセットによれば、タブレット型コンピュータを用い、そのＣＰＵでゲームソフトを運用できるから、従来のようなゲーム機は不要となり、構成が簡素化し、さらに該タブレット型コンピュータへのアダプタセットの付設も簡単にしかも容易に行える。
【手続補正３】
【補正対象書類名】明細書
【補正対象項目名】００１７
【補正方法】変更
【補正の内容】
【００１７】  図１は本考案に係るゲームシステム及びこれに用いるゲームアダプタセットの一実施形態を示すものである。
図において、符号１は携帯情報端末としてのタブレット型コンピュータであり、その表面に適宜の画像を表示する表示画面１ａを備えている。また、該タブレット型コンピュータ１の側縁部の一部には、イヤフォンジャック、マイク入力端子、その他の入出力端子等の外部接続端子（図示せず）が設けられている。
【手続補正４】
【補正対象書類名】明細書
【補正対象項目名】００３０
【補正方法】変更
【補正の内容】
【００３０】  また、タブレット型コンピュータとしても、いわゆる携帯情報端末と称するものであれば、適宜のものに適用してもよいことは言うまでもない。
さらに、リモコン操作器２０の形状として、上述した実施形態ではピストル型の場合を説明したが、この形状に問われない。すなわち、各種ゲームを行う際に用いることができるものであって、赤外線の送受信によりゲームをリモコン操作でプレイすることができるものであればよく、適宜の形状を自由に選択できることは言うまでもない。